(57)【特許請求の範囲】
【請求項１】
入力された紙葉類に係る情報を取得し、前記情報の登録、検索などの管理を行う紙葉類管理システムであって、
前記紙葉類に印刷された該紙葉類を一意に特定する識別情報を抽出する識別情報抽出手段と、
前記識別情報抽出手段により抽出された識別情報を記憶する識別情報記憶手段と、
前記識別情報記憶手段を所定の識別情報を用いて検索して、前記識別情報記憶手段内の当該識別情報の有無を出力する識別情報検索手段と、
前記紙葉類の紙葉類情報を取得する紙葉類情報取得手段と、
前記識別情報抽出手段により抽出された識別情報及び前記紙葉類情報取得手段により取得された紙葉類情報を対応付けて記憶する紙葉類情報記憶手段と、前記紙葉類情報記憶手段を所定の識別情報を用いて検索して、前記紙葉類情報記憶手段内の当該識別情報の有無並びに該識別情報に対応する紙葉類情報を出力する紙葉類情報検索手段と、
を備え、
前記紙葉類情報取得手段は、前記紙葉類の特徴をなす特徴量データを前記紙葉類情報として取得し、
前記紙葉類の特徴をなす特徴量データは、経年変化に伴う紙葉類の特徴を示す値であることを特徴とする紙葉類管理システム。
【請求項２】
前記識別情報抽出手段は、前記紙葉類の画像を撮像する撮像手段と、前記撮像手段により撮像された画像の所定の領域の部分画像を抽出する部分画像抽出手段と、前記部分画像抽出手段により抽出された前記部分画像内のデータを文字認識する文字認識手段とを有することを特徴とする請求項１に記載の紙葉類管理システム。 
【請求項３】
入力された紙葉類に係る情報を取得し、前記情報の登録、検索などの管理を行う紙葉類管理システムであって、
前記紙葉類に印刷された該紙葉類を一意に特定する識別情報を抽出する識別情報抽出手段と、
前記識別情報抽出手段により抽出された識別情報を記憶する識別情報記憶手段と、
前記識別情報記憶手段を所定の識別情報を用いて検索して、前記識別情報記憶手段内の当該識別情報の有無を出力する識別情報検索手段と、
前記紙葉類の紙葉類情報を取得する紙葉類情報取得手段と、
前記識別情報抽出手段により抽出された識別情報及び前記紙葉類情報取得手段により取得された紙葉類情報を対応付けて記憶する紙葉類情報記憶手段と、前記紙葉類情報記憶手段を所定の識別情報を用いて検索して、前記紙葉類情報記憶手段内の当該識別情報の有無並びに該識別情報に対応する紙葉類情報を出力する紙葉類情報検索手段と、
検索対象となる紙葉類の識別情報の入力を受け付ける入力受付手段と、
前記紙葉類情報検索手段で検索された該識別情報に対応する画像データを所定の表示部に表示制御する表示制御手段と、
を備えたことを特徴とする紙葉類管理システム。
【請求項４】
入力された紙葉類に係る情報を取得し、前記情報の登録、検索などの管理を行う紙葉類管理システムであって、
前記紙葉類に印刷された該紙葉類を一意に特定する識別情報を抽出する識別情報抽出手段と、
前記識別情報抽出手段により抽出された識別情報を記憶する識別情報記憶手段と、
前記識別情報記憶手段を所定の識別情報を用いて検索して、前記識別情報記憶手段内の当該識別情報の有無を出力する識別情報検索手段と、
前記紙葉類の紙葉類情報を取得する紙葉類情報取得手段と、
前記識別情報抽出手段により抽出された識別情報及び前記紙葉類情報取得手段により取得された紙葉類情報を対応付けて記憶する紙葉類情報記憶手段と、前記紙葉類情報記憶手段を所定の識別情報を用いて検索して、前記紙葉類情報記憶手段内の当該識別情報の有無並びに該識別情報に対応する紙葉類情報を出力する紙葉類情報検索手段と、
検索対象となる紙葉類の識別情報及び紙葉類情報を受け付けるデータ受付手段と、
前記データ受付手段で受け付けた紙葉類情報と前記紙葉類情報検索手段で検索された該識別情報に対応する紙葉類情報とを用いて類似度を算定する類似度算定手段と、
前記類似度算定手段により算定された類似度を所定の表示部に表示制御する表示制御手段と、
を備えたことを特徴とする紙葉類管理システム。
【請求項５】
前記紙葉類情報検索手段で検索された識別情報に対応する画像データと、前記データ受付手段で受付けた紙葉類情報に対応する画像データとを前記表示部に表示制御する表示制御手段をさらに備えたことを特徴とする請求項４に記載の紙葉類管理システム。
【請求項６】
入力された紙葉類に係る情報を取得するとともに、該紙葉類に係る情報の登録、検索などの管理を行う紙葉類管理装置であって、
前記紙葉類に印刷された該紙葉類を一意に特定する識別情報を抽出する識別情報抽出手段と、
前記識別情報抽出手段により抽出された識別情報を記憶する識別情報記憶手段と、
前記識別情報記憶手段を所定の識別情報を用いて検索して、前記識別情報記憶手段内の当該識別情報の有無を出力する識別情報検索手段と、
前記紙葉類の紙葉類情報を取得する紙葉類情報取得手段と、
前記識別情報抽出手段により抽出された識別情報及び前記紙葉類情報取得手段により取得された紙葉類情報を対応付けて記憶する紙葉類情報記憶手段と、
前記紙葉類情報記憶手段を所定の識別情報を用いて検索して、前記紙葉類情報記憶手段内の当該識別情報の有無並びに該識別情報に対応する紙葉類情報を出力する紙葉類情報検索手段と、
を備え、
前記紙葉類情報取得手段は、前記紙葉類の特徴をなす特徴量データを前記紙葉類情報として取得し、
前記紙葉類の特徴をなす特徴量データは、経年変化に伴う紙葉類の特徴を示す値であることを特徴とする紙葉類管理装置。
【請求項７】
入力された紙葉類に係る情報を取得するとともに、該紙葉類に係る情報の登録、検索などの管理を行う紙葉類管理方法であって、
前記紙葉類に印刷された該紙葉類を一意に特定する識別情報を抽出する識別情報抽出工程と、
前記識別情報抽出工程により抽出された識別情報を第１記憶部に登録する識別情報登録工程と、
前記第１記憶部を所定の識別情報を用いて検索して、前記第１記憶部内の当該識別情報の有無を出力する識別情報検索工程と、
前記紙葉類の特徴をなす特徴量データを紙葉類情報として取得する紙葉類情報取得工程と、
前記識別情報抽出工程により抽出された識別情報及び前記紙葉類情報取得工程により取得された紙葉類情報を対応付けて第２記憶部に記憶する紙葉類情報記憶工程と、
前記第２記憶部を所定の識別情報を用いて検索して、前記第２記憶部内の当該識別情報の有無並びに該識別情報に対応する紙葉類情報を出力する紙葉類情報検索工程と、
を含み、
前記紙葉類の特徴をなす特徴量データは、経年変化に伴う紙葉類の特徴を示す値であることを特徴とする紙葉類管理方法。
【請求項８】
入力された紙葉類に係る情報を取得するとともに、該紙葉類に係る情報の登録、検索などの管理を行う紙葉類管理プログラムであって、
前記紙葉類に印刷された該紙葉類を一意に特定する識別情報を抽出する識別情報抽出手順と、
前記識別情報抽出手順により抽出された識別情報を第１記憶部に登録する識別情報登録手順と、
前記第１記憶部を所定の識別情報を用いて検索して、前記第１記憶部内の当該識別情報の有無を出力する識別情報検索手順と、
前記紙葉類の特徴をなす特徴量データを紙葉類情報として取得する紙葉類情報取得手順と、
前記識別情報抽出手順により抽出された識別情報及び前記紙葉類情報取得手順により取得された紙葉類情報を対応付けて第２記憶部に記憶する紙葉類情報記憶手順と、
前記第２記憶部を所定の識別情報を用いて検索して、前記第２記憶部内の当該識別情報の有無並びに該識別情報に対応する紙葉類情報を出力する紙葉類情報検索手順と、
をコンピュータに実行させ、
前記紙葉類の特徴をなす特徴量データは、経年変化に伴う紙葉類の特徴を示す値であることを特徴とする紙葉類管理プログラム。
【発明の詳細な説明】
【技術分野】
【０００１】
本発明は、入力された紙葉類に係る情報を取得する紙葉類識別装置と、前記紙葉類識別装置からの紙葉類に係る情報の登録、検索などの管理を行う紙葉類管理装置とを有する紙葉類管理システムに関し、特に、店舗に持ち込まれた紙幣の記番号を用いて、店舗から出金された紙幣（以下、「出金紙幣」という。）であるか否かを判定する場合に、該店舗から出金された時点で正当な紙幣であることを効率良く担保することができる紙葉類管理システム、紙葉類識別装置、紙葉類管理装置、紙葉類管理方法及び紙葉類管理プログラムに関する。
【背景技術】
【０００２】
従来、銀行等の金融機関には、ＡＴＭ（Automatic Teller Machine）と呼ばれる現金自動預け払い機が配設されており、顧客は、通帳やキャッシュカードをＡＴＭに挿入して現金の預け入れ又は引き出しを行っている。従来のＡＴＭでは、顧客により入金された紙幣を特定するために紙幣の表面に記載されている英数字列からなる記番号、紙幣を入金した顧客の口座番号等の顧客情報及び顧客により紙幣が入金された日時等の情報を記憶し、管理していることが知られている。【０００３】
例えば、特許文献１に記載のＡＴＭでは、顧客によりＡＴＭに入金された紙幣の金種、記番号及び入金と同時に顧客により当該ＡＴＭに挿入された通帳やキャッシュカードに記憶されている顧客情報を管理することで、入金紙幣がどの顧客から持ち込まれたかを特定することができる。【０００４】
従って、後に入金された紙幣から偽札が発見された場合に、銀行の行員は、その偽札の記番号を基にＡＴＭで管理している顧客情報から、該偽札を入金した人物の情報などを取得することで、偽札を持ち込んだ人物を直ちに追跡し、指名手配することができる。【０００５】
【特許文献１】特開平１１−３２８４９３号公報
【発明の開示】
【発明が解決しようとする課題】
【０００６】
しかし、いずれかの顧客が、ＡＴＭから出金された紙幣若しくは、偽造を施したかもしれない紙幣を、金融機関に持ち込んだうえで、「この紙幣は当該金融機関のＡＴＭから出金されたものであり偽造券に見える」といったクレームを行うケースが考えられる。【０００７】
このため、金融機関に持ち込まれた紙幣の記番号を用いて出金紙幣であるか否かを判定する場合に、金融機関から出金された時点で正当な紙幣であることをいかにして担保するかが重要な課題となっている。なお、かかる課題は、紙幣を対象とする場合だけではなく、小切手、手形及び商品券などの各種紙葉類を対象とする場合にも同様に生ずる課題である。【０００８】
本発明は、上記課題を解決するためになされたものであって、店舗に持ち込まれた紙幣の記番号を用いて出金紙幣であるか否かを判定する場合に、該店舗から出金された時点で正当な紙幣であることを効率良く担保することができる紙葉類管理システム、紙葉類識別装置、紙葉類管理装置、紙葉類管理方法及び紙葉類管理プログラムを提供することを目的とする。
【課題を解決するための手段】
【０００９】
上述した課題を解決し、目的を達成するために、請求項１の発明に係る紙葉類管理システムは、入力された紙葉類に係る情報を取得する紙葉類識別装置と、前記紙葉類識別装置からの紙葉類に係る情報の登録、検索などの管理を行う紙葉類管理装置とを有する紙葉類管理システムであって、前記紙葉類に印刷された該紙葉類を一意に特定する識別情報を抽出する識別情報抽出手段と、前記識別情報抽出手段により抽出された識別情報を記憶する識別情報記憶手段と、前記識別情報記憶手段を所定の識別情報を用いて検索して、前記識別情報記憶手段内の当該識別情報の有無を出力する識別情報検索手段とを備えたことを特徴とする。【００１０】
また、請求項２の発明に係る紙葉類管理システムでは、前記紙葉類の紙葉類情報を取得する紙葉類情報取得手段と、前記識別情報抽出手段により抽出された識別情報及び前記紙葉類情報取得手段により取得された紙葉類情報を対応付けて記憶する紙葉類情報記憶手段と、前記紙葉類情報記憶手段を所定の識別情報を用いて検索して、前記紙葉類情報記憶手段内の当該識別情報の有無並びに該識別情報に対応する紙葉類情報を出力する紙葉類情報検索手段とをさらに備えたことを特徴とする。【００１１】
また、請求項３の発明に係る紙葉類管理システムでは、前記識別情報抽出手段は、前記紙葉類の画像を撮像する撮像手段と、前記撮像手段により撮像された画像の所定の領域の部分画像を抽出する部分画像抽出手段と、前記部分画像抽出手段により抽出された前記部分画像内のデータを文字認識する文字認識手段とを有し、前記撮像手段及び前記部分画像抽出手段は前記紙葉類識別装置に設けられ、前記文字認識手段は前記紙葉類管理装置に設けられたことを特徴とする。【００１２】
また、請求項４の発明に係る紙葉類管理システムでは、前記識別情報記憶手段及び前記識別情報検索手段は前記紙葉類管理装置に設けられたことを特徴とする。【００１３】
また、請求項５の発明に係る紙葉類管理システムでは、前記紙葉類情報取得手段は、前記紙葉類の画像データ又は前記紙葉類の特徴をなす特徴量データを前記紙葉類情報として取得することを特徴とする。【００１４】
また、請求項６の発明に係る紙葉類管理システムでは、前記紙葉類管理装置は、検索対象となる紙葉類の識別情報の入力を受け付ける入力受付手段と、前記紙葉類情報検索手段で検索された該識別情報に対応する画像データを所定の表示部に表示制御する表示制御手段とをさらに備えたことを特徴とする。【００１５】
また、請求項７の発明に係る紙葉類管理システムでは、前記紙葉類管理装置は、前記紙葉類識別装置から検索対象となる紙葉類の識別情報及び紙葉類情報を受け付けるデータ受付手段と、前記データ受付手段で受け付けた紙葉類情報と前記紙葉類情報検索手段で検索された該識別情報に対応する紙葉類情報とを用いて類似度を算定する類似度算定手段と、前記類似度算定手段により算定された類似度を所定の表示部に表示制御する表示制御手段とをさらに備えたことを特徴とする。【００１６】
また、請求項８の発明に係る紙葉類管理システムでは、前記紙葉類管理装置は、前記紙葉類情報検索手段で検索された識別情報に対応する画像データと、前記データ受付手段で受付けた紙葉類情報に対応する画像データとを前記表示部に表示制御する表示制御手段をさらに備えたことを特徴とする。【００１７】
また、請求項９の発明に係る紙葉類管理装置では、入力された紙葉類に係る情報を取得するとともに、該紙葉類に係る情報の登録、検索などの管理を行う紙葉類管理装置であって、前記紙葉類に印刷された該紙葉類を一意に特定する識別情報を抽出する識別情報抽出手段と、前記識別情報抽出手段により抽出された識別情報を記憶する識別情報記憶手段と、前記識別情報記憶手段を所定の識別情報を用いて検索して、前記識別情報記憶手段内の当該識別情報の有無を出力する識別情報検索手段とを備えたことを特徴とする。【００１８】
また、請求項１０の発明に係る紙葉類管理方法では、入力された紙葉類に係る情報を取得するとともに、該紙葉類に係る情報の登録、検索などの管理を行う紙葉類管理方法であって、前記紙葉類に印刷された該紙葉類を一意に特定する識別情報を抽出する識別情報抽出工程と、前記識別情報抽出工程により抽出された識別情報を記憶部に登録する識別情報登録工程と、前記記憶部を所定の識別情報を用いて検索して、前記記憶部内の当該識別情報の有無を出力する識別情報検索工程とを含んだことを特徴とする。【００１９】
また、請求項１１の発明に係る紙葉類管理プログラムでは、入力された紙葉類に係る情報を取得するとともに、該紙葉類に係る情報の登録、検索などの管理を行う紙葉類管理プログラムであって、前記紙葉類に印刷された該紙葉類を一意に特定する識別情報を抽出する識別情報抽出手順と、前記識別情報抽出手順により抽出された識別情報を記憶部に登録する識別情報登録手順と、前記記憶部を所定の識別情報を用いて検索して、前記記憶部内の当該識別情報の有無を出力する識別情報検索手順とをコンピュータに実行させることを特徴とする。
【発明の効果】
【００２０】
本発明によれば、入力された紙葉類に係る情報を取得する紙葉類識別装置と、前記紙葉類識別装置からの紙葉類に係る情報の登録、検索などの管理を行う紙葉類管理装置とを有する紙葉類管理システムであって、前記紙葉類に印刷された該紙葉類を一意に特定する識別情報を抽出する識別情報抽出手段と、前記識別情報抽出手段により抽出された識別情報を記憶する識別情報記憶手段と、前記識別情報記憶手段を所定の識別情報を用いて検索して、前記識別情報記憶手段内の当該識別情報の有無を出力する識別情報検索手段とを備えたことを特徴とするため、ユーザ（銀行の行員）は店舗に持ち込まれた紙幣の識別情報例えば紙幣の記番号を用いて検索し、記番号の検索の結果に基づき、出金紙幣であるか否かを認識することができる。【００２１】
また、本発明によれば、前記紙葉類の紙葉類情報を取得する紙葉類情報取得手段と、前記識別情報抽出手段により抽出された識別情報及び前記紙葉類情報取得手段により取得された紙葉類情報を対応付けて記憶する紙葉類情報記憶手段と、前記紙葉類情報記憶手段を所定の識別情報を用いて検索して、前記紙葉類情報記憶手段内の当該識別情報の有無並びに該識別情報に対応する紙葉類情報を出力する紙葉類情報検索手段とをさらに備えたことを特徴とするため、店舗に持ち込まれた紙幣の記番号を用いて出金紙幣であるか否かを判定する場合に、該店舗から出金された時点で正当な紙幣であることを効率良く担保することができる。【００２２】
また、本発明によれば、前記識別情報抽出手段は、前記紙葉類の画像を撮像する撮像手段と、前記撮像手段により撮像された画像の所定の領域の部分画像を抽出する部分画像抽出手段と、前記部分画像抽出手段により抽出された前記部分画像内のデータを文字認識する文字認識手段とを有し、前記撮像手段及び前記部分画像抽出手段は前記紙葉類識別装置に設けられ、前記文字認識手段は前記紙葉類管理装置に設けられたことを特徴とするため、前記紙葉類識別装置での処理の負担を軽減することができる。【００２３】
また、本発明によれば、前記識別情報記憶手段及び前記識別情報検索手段は前記紙葉類管理装置に設けられたことを特徴とするため、前記紙葉類識別装置での処理の負担を軽減することができる。【００２４】
また、本発明によれば、前記紙葉類情報取得手段は、前記紙葉類の画像データ又は前記紙葉類の特徴をなす特徴量データを前記紙葉類情報として取得することを特徴とするため、店舗に持ち込まれた紙幣の記番号を用いて出金紙幣であるか否かを判定する場合に、紙幣の画像データや特徴量データを用いて紙幣の照合ができ、該店舗から出金された時点で正当な紙幣であることを効率良く担保することができる。【００２５】
また、本発明によれば、前記紙葉類管理装置は、検索対象となる紙葉類の識別情報の入力を受け付ける入力受付手段と、前記紙葉類情報検索手段で検索された該識別情報に対応する画像データを所定の表示部に表示制御する表示制御手段とをさらに備えたことを特徴とするため、識別情報を入力するだけで、紙幣の照合を行うことができ、店舗に持ち込まれた紙幣の記番号を用いて出金紙幣であるか否かを判定する場合に、該店舗から出金された時点で正当な紙幣であることを効率良く担保することができる。【００２６】
また、本発明によれば、前記紙葉類管理装置は、前記紙葉類識別装置から検索対象となる紙葉類の識別情報及び紙葉類情報を受け付けるデータ受付手段と、前記データ受付手段で受け付けた紙葉類情報と前記紙葉類情報検索手段で検索された該識別情報に対応する紙葉類情報とを用いて類似度を算定する類似度算定手段と、前記類似度算定手段により算定された類似度を所定の表示部に表示制御する表示制御手段とをさらに備えたことを特徴とするため、類似度を用いて容易に紙幣の判定を行うことができ、店舗に持ち込まれた紙幣の記番号を用いて出金紙幣であるか否かを判定する場合に、該店舗から出金された時点で正当な紙幣であることを効率良く担保することができる。【００２７】
また、本発明によれば、前記紙葉類管理装置は、前記紙葉類情報検索手段で検索された識別情報に対応する画像データと、前記データ受付手段で受付けた紙葉類情報に対応する画像データとを前記表示部に表示制御する表示制御手段をさらに備えたことを特徴とするため、二つの紙幣の画像データを目視により比較することができるので、容易に紙幣の照合が可能となり、店舗に持ち込まれた紙幣の記番号を用いて出金紙幣であるか否かを判定する場合に、該店舗から出金された時点で正当な紙幣であることを効率良く担保することができる。【００２８】
また、本発明によれば、入力された紙葉類に係る情報を取得するとともに、該紙葉類に係る情報の登録、検索などの管理を行う紙葉類管理装置であって、前記紙葉類に印刷された該紙葉類を一意に特定する識別情報を抽出する識別情報抽出手段と、前記識別情報抽出手段により抽出された識別情報を記憶する識別情報記憶手段と、前記識別情報記憶手段を所定の識別情報を用いて検索して、前記識別情報記憶手段内の当該識別情報の有無を出力する識別情報検索手段とを備えたことを特徴とするため、ユーザは店舗に持ち込まれた紙幣の記番号を用いて紙葉類管理装置側で検索し、その記番号の検索の結果に基づき、出金紙幣であるか否かを認識することができる。【００２９】
また、本発明によれば、入力された紙葉類に係る情報を取得するとともに、該紙葉類に係る情報の登録、検索などの管理を行う紙葉類管理方法であって、前記紙葉類に印刷された該紙葉類を一意に特定する識別情報を抽出する識別情報抽出工程と、前記識別情報抽出工程により抽出された識別情報を記憶部に登録する識別情報登録工程と、前記記憶部を所定の識別情報を用いて検索して、前記記憶部内の当該識別情報の有無を出力する識別情報検索工程とを含んだことを特徴とするため、ユーザは店舗に持ち込まれた紙幣の記番号を用いて検索し、記番号の検索の結果に基づき、出金紙幣であるか否かを認識することができる。【００３０】
また、本発明によれば、入力された紙葉類に係る情報を取得するとともに、該紙葉類に係る情報の登録、検索などの管理を行う紙葉類管理プログラムであって、前記紙葉類に印刷された該紙葉類を一意に特定する識別情報を抽出する識別情報抽出手順と、前記識別情報抽出手順により抽出された識別情報を記憶部に登録する識別情報登録手順と、前記記憶部を所定の識別情報を用いて検索して、前記記憶部内の当該識別情報の有無を出力する識別情報検索手順とをコンピュータに実行させることを特徴とするため、店舗に持ち込まれた紙幣の記番号を用いて出金紙幣であるか否かを判定する場合に、ユーザは店舗に持ち込まれた紙幣の記番号を用いて検索し、記番号の検索の結果に基づき、出金紙幣であるか否かを認識することができる。
【図面の簡単な説明】
【００３１】
【図１】図１は、実施例１に係る紙葉類管理システムの概要を示す説明図である。
【図２】図２は、実施例１に係る紙幣識別装置及び紙幣管理装置の構成を示す機能ブロック図である。
【図３】図３は、実施例１に係る紙幣情報テーブルを示す説明図である。
【図４】図４は、紙幣識別装置及び紙幣管理装置の制御部が実行する処理を示すフローチャートである。
【図５】図５は、紙幣識別装置及び紙幣管理装置の制御部が実行する処理を示すフローチャートである。
【図６】図６は、紙幣識別装置及び紙幣管理装置の制御部が実行する処理を示すフローチャートである。
【図７】図７は、実施例１に係る紙幣検索表示画面の一例を示す図である。
【図８】図８は、紙幣識別装置及び紙幣管理装置の制御部が実行する処理を示すフローチャートである。
【図９】図９は、実施例１に係る紙幣検索表示画面の一例を示す図である。
【図１０】図１０は、実施例２に係る紙幣識別装置及び紙幣管理装置の構成を示す機能ブロック図である。
【符号の説明】
【００３２】
１１０  紙幣識別装置
１２０  紙幣管理装置
１３０  記憶部
１４０  ＡＴＭ（Automatic Teller Machine）
２１１  撮像部
２１２  紙幣処理機構
２１３  記憶部
２１４  識別制御部
２１４ａ  画像撮像処理部
２１４ｂ  特徴量データ算出部
２１４ｃ  記番号抽出部
２１４ｄ  紙幣情報送信処理部
２２１  入力部
２２２  表示部
２２３ａ  データベース
２２４  管理制御部
２２４ａ  データベース管理部
２２４ｂ  検索処理部
２２４ｃ  表示処理部
２２４ｄ  照合処理部
３１０  読み込み紙幣画像
３１１  データベース紙幣画像
３１２  類似度表示部
４１０  データベース紙幣画像
４１１  検索結果記番号一覧
４１２  検索結果画像種類一覧
４１３  表示ボタン
５１０  紙幣識別装置
５１１  撮像部
５１２  紙幣処理機構
５１３  記憶部
５１４  識別制御部
５１４ａ  画像撮像処理部
５１４ｂ  特徴量データ算出部
５１４ｃ  記番号抽出部
５１４ｄ  紙幣情報送信処理部
５１４ｅ  真偽判定部
５２０  紙幣管理装置
５２１  入力部
５２２  表示部
５２３  記憶部
５２３ａ  データベース
５２３ｂ  偽札データベース
５２４  管理制御部
５２４ａ  データベース管理部
５２４ｂ  検索処理部
５２４ｃ  表示処理部
５２４ｄ  照合処理部
【発明を実施するための最良の形態】
【００３３】
以下に、本発明の一実施例について、添付図面を参照しながら具体的に説明する。ここでは、紙幣を取扱う紙葉類管理システムに対して本発明を適用した場合を例に挙げて説明するが、本発明は、小切手、手形及び商品券等、他の任意の紙葉類を取扱う紙葉類管理システムに対しても適用することができるものである。
【実施例１】
【００３４】
まず、本実施例に係る紙葉類管理システムの実施例１について説明する。本実施例の紙葉類管理システムは、銀行等の金融機関の店舗に導入されるシステムであり、当該店舗から紙幣を出金する時点で、その紙幣が正当な紙幣であることを効率良く担保しておくことにより、顧客が紙幣を店舗へ持ち込んだ場合に、その紙幣が当該店舗から出金した紙幣であるか否かを顧客に対して明示することを可能としたシステムである。【００３５】
図１に示すように、この紙葉類管理システムは、銀行の係員（以下、単に「係員」という。）によって投入された紙幣から、各紙幣に関するデータを取得する紙幣識別装置１１０と、紙幣識別装置１１０によって取得した各紙幣に関するデータの登録、管理、検索等の各種情報処理を行う紙幣管理装置１２０とにより構成している。【００３６】
紙幣識別装置１１０は、係員により投入された出金用の各紙幣について、それら各紙幣の真偽や正損を判定した後、紙幣を金種毎に分別して内部の金種別収納部に貯留する機能を備えている。そして、この紙幣識別装置１１０により識別された紙幣は、係員によって、図１下側に示すＡＴＭ（Automatic
Teller Machine：現金自動預払機）１４０に装填され、その後、顧客によってＡＴＭ１４０から引出されて、店舗から出金されることとなる。【００３７】
特に、実施例１の紙幣識別装置１１０は、係員によって出金用の紙幣が装置へ投入されると、それらの各紙幣をそれぞれ撮像し、その結果画像データや像データが得られるよう構成している。なお、像データは、例えば各紙幣に赤外光を照射した際に得られる反射率や透過率などの数値的な受光結果のことである。また、紙幣識別装置１１０は、得られた画像データから各紙幣を一意に特定する各紙幣に固有の記番号が印刷されている領域を抽出すると共に、各画像データまたは像データから紙幣毎に異なる紙幣の特徴量データをそれぞれ取得するように構成している。【００３８】
そして、この紙幣識別装置１１０は、各紙幣の記番号が印刷されている領域の部分画像データと、その記番号に対応する紙幣の画像データ及び特徴量データとをそれぞれ対応付けて、紙幣管理装置１２０へ出力するように構成している。【００３９】
紙幣管理装置１２０は、紙幣識別装置１１０から受け取った各紙幣の記番号が印刷されている領域の部分画像データから記番号を抽出し、抽出した記番号と、その記番号に対応する紙幣の画像データ及び特徴量データとを対応付けて記憶する記憶部１３０を備えている。そして、この紙幣管理装置１２０は、出金用の紙幣が紙幣識別装置１１０へ投入される度に、紙幣識別装置１１０から入力される紙幣毎の記番号と画像データと特徴量データとを記憶部１３０に記憶させることによって、これらの各種データの登録、削除、検索、等のデータベース管理を行うように構成している。【００４０】
また、紙幣管理装置１２０は、紙幣の記番号を用いて記憶部１３０内を検索し、記憶部１３０内に、検索で用いた記番号が記憶されているか否かを示すデータを出力するように構成している。さらに、この紙幣管理装置１２０は、前述の検索の結果、検索に用いた記番号が記憶部１３０内部に記憶されていた場合、当該記番号に対応して記憶部１３０に記憶されている紙幣の画像データとその紙幣の特徴量データとを出力するように構成している。【００４１】
このように、実施例１の紙葉類管理システムでは、予め出金用に用意している各紙幣を出金する前の時点で撮像し、その結果得られる各紙幣の画像データから、各紙幣に印刷されている各紙幣固有の記番号を抽出し、さらに、各紙幣を撮像した画像データまたは像データから各紙幣固有の特徴量データを取得して、これら記番号と画像データと特徴量データとを紙幣毎に対応付けて記憶するように構成している。【００４２】
そして、この紙葉類管理システムでは、紙幣の記番号を用いて、出金する前に予め記憶しておいた各紙幣に関する記番号と画像データと特徴量データとを検索し、その検索結果を出力可能に構成している。【００４３】
そのため、当該紙葉類管理システムが導入されている銀行では、顧客が紙幣を店舗へ持ち込んで、「この紙幣が当該銀行のＡＴＭ１４０から出金された偽造紙幣である」旨を主張した場合に、その持ち込まれた紙幣の記番号を用いて、当該銀行から出金する前に予め記憶しておいた上記紙幣に関するデータを検索し、その検索結果を出力して、紙幣を持ち込んだ顧客に提示することによって、持ち込まれた紙幣が当該銀行のＡＴＭ１４０から出金したものであるのか否かを明示することができる。【００４４】
特に、この紙葉類管理システムでは、顧客によって持ち込まれた貨幣の記番号と、予め記憶しておいた出金前の紙幣の記番号とを単に照合するのではなく、それに加えて出金前の時点における各紙幣の画像データや各紙幣の特徴量データを用いて、持ち込まれた紙幣の正当性（該システムを導入している銀行から出金した紙幣であること）を判定するので、正当性の判断をより厳正に行うことができ、銀行と顧客の相互の信頼を高めることができる。【００４５】
紙幣に印刷されている記番号は、その紙幣が真券であれば各紙幣を一意に特定するのに十分な材料となりえるが、その紙幣が偽券（偽造紙幣）であった場合、その偽券に真券と同一の記番号が印刷されていれていることもあるので、この場合に記番号は各紙幣を一意に特定する十分な材料とはなりえない。【００４６】
これに対して、出金前の紙幣が真券であることを前提として、その紙幣を撮像した画像データまたは像データや、この画像データまたは像データから取得した各紙幣の特徴量データは、記番号に比べて模倣や偽造が困難であるため、各紙幣を一意に特定するのに十分な材料となりえる。【００４７】
なぜならば、紙幣には、流通の過程で折り目や染み等の汚れ、表面の微細な傷、色あせ等の経年変化が生じるため、これらの各種経年変化に伴う紙幣の特徴は、各紙幣固有の情報といえ、各紙幣を一意に特定する十分な材料になりえるからである。【００４８】
このように、実施例１の紙葉類管理システムは、紙幣の記番号と、偽造が困難な各紙幣がそれぞれ持つ特徴量データとを対応付けて出金前に予め記憶しておき、顧客が紙幣を持ち込んできた場合に、その紙幣の記番号と同一の記番号を検索し、一致した記番号に対応する画像データ及び特徴量データと、顧客が持ち込んだ紙幣とを照合することができるので、持ち込まれた紙幣の正当性を厳正に判定でき、その判定結果を明確に顧客に示すことができる。【００４９】
ここで、実施例１の紙葉類管理システムによる紙幣の管理方法について、再度図１を参照して説明する。ここでは、係員が入金用の紙幣を紙幣識別装置１１０へ投入してから、その紙幣が顧客により出金され、その後、顧客により持ち込まれた紙幣の正当性の判定を行うまでの一連の流れについて説明する。【００５０】
図１に示すように、この紙葉類管理システムが導入されている銀行では、係員が出金用の紙幣を紙幣識別装置１１０に投入する作業を行う（ステップＳ１０１）。紙幣識別装置１１０は、出金用の紙幣が投入されると、その紙幣の真偽及び正損を判定すると共に、各紙幣の画像を撮像して、各紙幣の画像データまたは像データを取得し、取得した画像データから、記番号が印刷されている領域を切り出し、部分画像データを取得する。【００５１】
さらに、紙幣識別装置１１０は、撮像した各紙幣の画像データまたは像データから、その紙幣の特徴量データを取得する処理を行う。ここで行う特徴量データの取得に関する処理としては、紙幣の色彩や折り目の違い等といった各紙幣の特徴を抽出可能な画像処理であれば、任意の処理を用いることができ、たとえば、画像を多数の微細な領域に分割して各領域毎の輝度値を取得し、その輝度値から各紙幣の色彩や折り目の陰影等を抽出して特徴量データを取得する処理を用いることができる。【００５２】
紙幣識別装置１１０は、こうして取得した各紙幣の記番号が印刷されている領域の部分画像データと、その記番号に対応する紙幣の画像データ及び特徴量データとをそれぞれ対応付けて紙幣管理装置１２０へ出力する（ステップＳ１０２）。【００５３】
紙幣管理装置１２０は、紙幣識別装置１１０から各紙幣の記番号が印刷されている領域の部分画像データが入力されると、その部分画像データを文字認識する処理を行うことによって、各紙幣の記番号を読み取る。【００５４】
その後、各紙幣の記番号と記番号に対応する紙幣の画像データ及び特徴量データを紙幣毎に対応させて記憶部１３０へ記憶することによって、これから出金される紙幣に関するデータを登録して管理する。【００５５】
なお、実施例１では、紙幣識別装置１１０が記番号が印刷されている領域の部分画像データと画像データ及び特徴量データを紙幣管理装置１２０へ出力するように構成しているが、紙幣の記番号が印刷されている領域の部分画像データと、その記番号に対応する紙幣の画像データと特徴量データのうちのいずれか一方のデータとを紙幣管理装置１２０へ出力するように構成してもよい。【００５６】
紙幣識別装置１１０により真偽や正損を判別された紙幣は、金種毎に分別されて紙幣識別装置１１０内部の金種別収納部に収納され、その後、ＡＴＭ１４０に装填される（ステップＳ１０３）。そして、ＡＴＭ１４０に装填された紙幣は、顧客によるＡＴＭ１４０の出金操作によってＡＴＭから、すなわち店舗から出金されることとなる（ステップＳ１０４）。【００５７】
その後、いずれかの顧客が店舗に紙幣を持ち込んで、「この紙幣が当該店舗のＡＴＭ１４０から出金された偽造紙幣である」旨を主張した場合（ステップＳ１０５）、この紙葉類管理システムでは、紙幣管理装置１２０の記憶部１３０に記憶している各種データを用いて、顧客により持ち込まれた紙幣が当該店舗から出金した紙幣であるのか否かを判定し、その結果を顧客へ明示する。【００５８】
すなわち、顧客が店舗へ紙幣を持ち込んで上記のように主張した場合、係員は、まず、顧客により持ち込まれた紙幣を紙幣識別装置１１０に投入する（ステップＳ１０６）。紙幣管理装置１１０は、投入された紙幣の画像を撮像して得た画像データまたは像データから、その紙幣の記番号を読取り、さらに、その画像データまたは像データから紙幣の特徴量データを生成して、これら紙幣の記番号を示すデータと、画像データと、特徴量データとを紙幣管理装置１２０に送信する。【００５９】
紙幣管理装置１２０は、紙幣識別装置１１０から送信された紙幣の記番号を示すデータと、画像データと、特徴量データとを受信すると、受信した記番号を示すデータと同一の記番号を示すデータが記憶部１３０に記憶（登録）されているか否かを判断する。つまり、紙幣管理装置１２０は、顧客により持ち込まれた紙幣の記番号を用いて記憶部１３０内部を検索し、該記番号の有無を判断する。【００６０】
ここで紙幣管理装置１２０は、記憶部１３０に、顧客により持ち込まれた紙幣の記番号と同一の記番号を示すデータが登録されていると判断した場合に、記憶部１３０からその記番号に対応する紙幣の画像データと特徴量データとを読み出して、紙幣識別装置１１０から受信した紙幣の画像データ及び特徴量データとの照合を行う（ステップＳ１０７）。【００６１】
そして、紙幣管理装置１２０は、顧客により持ち込まれた紙幣の記番号の検索結果と、顧客により持ち込まれた紙幣の画像と、記憶部１３０から読み出した画像データから生成した紙幣の画像と、これら二つの画像の類似度を判定した判定結果とを表示部へ出力して表示させる（ステップＳ１０８）。【００６２】
一方、紙幣管理装置１２０は、記憶部１３０に、顧客により持ち込まれた紙幣の記番号と同一の記番号を示すデータが登録されていないと判断した場合、その検索結果を表示部へ出力して表示させる（ステップＳ１０８）。【００６３】
これにより、係員は、表示部に二つの紙幣の画像が表示された場合、それら二つの紙幣の同一性を目視により判断できるだけでなく、二つの画像の画像データを用いて算出した類似度によって、より確実に二つの紙幣の同一性を判断することができる。【００６４】
そのため、係員は、紙幣管理装置１２０による記番号の検索の結果、顧客により持ち込まれた紙幣の記番号が紙幣管理装置１２０の記憶部１３０に登録されていることが分かり、目視及び類似度による同一性の判断の結果、二つの紙幣の画像が同一であると判断した場合に、これらの検索結果と判断結果とを根拠に、顧客に対して、持ち込まれた紙幣がこの店舗から出金されたもので、且つ、偽造紙幣ではないことを明確に示すことができる。【００６５】
また、係員は、紙幣管理装置１２０による記番号の検索の結果、顧客により持ち込まれた紙幣の記番号が紙幣管理装置１２０の記憶部１３０に登録されていることが分かり、目視及び類似度による同一性の判断の結果、二つの紙幣の画像が同一でないと判断した場合に、これらの検索結果と判断結果とを根拠に、顧客に対して、持ち込まれた紙幣がこの店舗から出金されたものでなく、且つ、偽造紙幣であることを明確に示すことができる。【００６６】
さらに、係員は、紙幣管理装置１２０による記番号の検索の結果、顧客により持ち込まれた紙幣の記番号が紙幣管理装置１２０の記憶部１３０に登録されていなかった場合、この検索結果を根拠に、顧客に対して、持ち込まれた紙幣がこの店舗から出金されたものでないことを明確に示すことができる。【００６７】
また、実施例１の紙葉類管理システムでは、係員が顧客により持ち込まれた紙幣を目視して、明らかに偽造紙幣の疑いが高いと判断できる場合、上記した方法とは別の方法によって係員の判断の正当性を顧客に対して明確に示すように構成している。【００６８】
この場合、係員は、顧客により持ち込まれた紙幣の記番号を直接紙幣管理装置１２０へ入力する。紙幣管理装置１２０は、係員により記番号が入力されると、その記番号を用いて記憶部１３０内を検索し、係員により入力された記番号と同一の記番号を示すデータが登録されているか否かを判断する。【００６９】
そして、紙幣管理装置１２０は、記番号の検索結果を表示部へ出力して表示させ、記番号の検索の結果、係員から入力された記番号と一致する記番号と同一の記番号を示すデータが登録されていると判断した場合には、その記番号に対応して記憶している画像データから生成した紙幣の画像を表示部へ出力して表示させる。【００７０】
これにより、係員は、記番号の検索の結果、顧客により持ち込まれた紙幣の記番号が紙幣管理装置１２０の記憶部１３０に登録されていなかった場合、この検索結果を根拠に、顧客に対して、持ち込まれた紙幣がこの店舗から出金されたものでないことを明確に示すことができる。【００７１】
また、係員は、記番号の検索の結果、顧客により持ち込まれた紙幣の記番号が紙幣管理装置１２０の記憶部１３０に登録されていた場合、紙幣管理装置１２０の表示部に表示される紙幣の画像と顧客により持ち込まれた紙幣との非同一性を目視により判断することができる。【００７２】
すなわち、係員は、紙幣管理装置１２０の表示部に表示される紙幣の画像と、顧客により持ち込まれた紙幣とを見比べて、その両方に印刷されている記番号は同一であるが、その記番号が付された真券であれば紙幣の表面又は裏面に当然現れるはずの特徴と、持ち込まれた紙幣から見て取れる特徴とが明らかに異なる場合、持ち込まれた紙幣が偽造紙幣であると判断することができる。【００７３】
そのため、係員は、紙幣管理装置１２０の表示部に表示される紙幣の画像を根拠に、顧客に対して、持ち込まれた紙幣がこの店舗から出金されたものでなく、且つ、偽造紙幣であることを明確に示すことができる。【００７４】
次に、上記した紙葉類管理システムを構成する紙幣識別装置１１０及び紙幣管理装置１２０の構成について、図２を参照して説明する。図２は、実施例１に係る紙幣識別装置１１０及び紙幣管理装置１２０の構成を示す機能ブロック図である。【００７５】
まず、実施例１に係る紙幣識別装置１１０の構成について説明する。図２に示すように、実施例１の紙幣識別装置１１０は、撮像部２１１と、紙幣処理機構２１２と、記憶部２１３と、識別制御部２１４とで構成される。【００７６】
撮像部２１１は、ＣＣＤ（Charge Coupled Device）カメラと、ＣＣＤカメラの被写体に対して可視光や赤外光、緑光等の複数種類の光を照射する光照射装置とを備えている。そして、この撮像部２１１は、被写体である紙幣に対して複数種類の光を順次照射し、その光が紙幣に反射した反射光をＣＣＤカメラで受光することにより、紙幣識別装置１１０に投入された出金用の各紙幣や顧客によって持ち込まれた各紙幣の画像を撮像し、その結果、各画像に対して得られる複数種類の画像データを識別制御部２１４へ出力するものである。なお、この撮像部２１１は、各紙幣の表面及び裏面の両面を撮像して、紙幣の各面毎の画像データを識別制御部２１４へ出力する。【００７７】
また、この撮像部２１１は、紙幣に所定の光を照射し、その光が紙幣を透過した透過光をＣＣＤカメラで受光し、その結果得られる画像データも識別制御部２１４へ出力するように構成している。【００７８】
さらに、撮像部２１１は、紙幣識別装置１１０に投入された出金用の紙幣や顧客によって持ち込まれた紙幣の表面及び裏面における磁気分布を検出する磁気センサを備えている。そして、この撮像部２１１は、磁気センサにより検出した各紙幣の磁気分布を示す画像データについても、識別制御部２１４へ出力する。実施例１では、この撮像部２１１が紙葉類の画像を撮像する撮像手段として機能する。【００７９】
紙幣処理機構２１２は、紙幣識別装置１１０に投入された紙幣を紙幣の投入口から撮像部２１１、紙幣の貯留部、紙幣の返却口などへ搬送を行う搬送機構により構成している。【００８０】
記憶部２１３は、フラッシュメモリ等の不揮発性の情報記憶部材により構成しており、識別制御部２１４で行われる処理に必要な各種データなどを一時的に格納する。【００８１】
識別制御部２１４は、ＣＰＵ（Central Processing Unit）とＲＯＭ（Read-Only Memory)とＲＡＭ（Random Access
Memory）とを備えたマイクロコンピュータにより構成している。ＲＯＭには、ＣＰＵが紙幣識別装置１１０全体の動作を統括制御するために実行する各種プログラムが記憶されている。また、ＲＡＭは、ＣＰＵがＲＯＭに記憶されている各種プログラムを実行する際に作業領域として機能する一時記憶部である。【００８２】
そして、この識別制御部２１４は、ＣＰＵがＲＯＭに記憶されている各種プログラムを読み出して実行することにより、撮像部２１１から入力された各種画像データに対して所定の画像処理を行う画像撮像処理部２１４ａ、画像データまたは像データに基づいて、各紙幣固有の特徴量データを算出して紙幣毎の特徴量データを生成する特徴量データ算出部２１４ｂ、画像データに基づいて、紙幣の画像から記番号が記載されている特定の領域を切出す処理を行う記番号抽出部２１４ｃ、紙幣管理装置１２０へ紙幣の画像データや特徴量データ等を送信する紙幣情報送信処理部２１４ｄ等として機能する。【００８３】
すなわち、実施例１では、この撮像部２１１が紙葉類の画像を撮像する撮像手段として機能し、特徴量データ算出部２１４ｂが紙幣の画像データや特徴量データ等の紙葉類の紙葉類情報を取得する紙葉類情報取得手段として機能し、記番号抽出部２１４ｃが撮像手段により撮像された画像の所定の領域の部分画像を抽出する部分画像抽出手段として機能する。そして、実施例１では、このように構成した紙幣識別装置１１０が、本発明における入力された紙葉類に係る情報を取得する紙葉類識別装置に相当する。【００８４】
次に、実施例１における紙幣管理装置１２０の構成について説明する。この紙幣管理装置１２０は、前述の紙幣識別装置１１０と通信回線を介して接続されており、紙幣識別装置１１０から送信される各種データを受信可能に構成している。【００８５】
この紙幣管理装置１２０は、図２に示すように、紙幣管理装置１２０は、入力部２２１と、表示部２２２と、記憶部１３０と、管理制御部２２４で構成される。【００８６】
入力部２２１は、キーボードやマウスなどの入力デバイスにより構成しており、係員が顧客により持ち込まれた紙幣の記番号等の各種データを入力する際に操作するものである。実施例１では、この入力部２２１が検索対象となる紙葉類の識別情報の入力を受付ける入力受付手段として機能する。【００８７】
表示部２２２は、液晶ディスプレイなどの表示デバイスにより構成しており、管理制御部２２４による表示制御に基づいて、各種画像を表示するものである。【００８８】
記憶部１３０は、フラッシュメモリやＨＤＤ（Hard  Disk  Drive）の情報記憶部材により構成しており、紙幣識別装置１１０から入力される各種データを記憶する。特に、実施例１では、この記憶部１３０に、紙幣識別装置１１０で撮像された記番号に関する画像データと紙幣全体の画像データと特徴量データとを紙幣毎にそれぞれ対応させて記憶させる。実施例１では、この記憶部１３０が紙葉類識別装置から受け取った識別情報及び紙葉類情報を対応付けて記憶する紙葉類情報記憶手段として機能する。以下、この記憶部１３０に記憶された紙幣に関するデータ群をデータベース２２３ａと称する。【００８９】
管理制御部２２４は、ＣＰＵ（Central Processing Unit）とＲＯＭ（Read-Only Memory)とＲＡＭ（Random Access
Memory）とを備えたマイクロコンピュータにより構成している。ＲＯＭには、ＣＰＵが紙幣管理装置１２０全体の動作を統括制御するために実行する各種プログラムが記憶されている。また、ＲＡＭは、ＣＰＵがＲＯＭに記憶されている各種プログラムを実行する際に作業領域として機能する一時記憶部である。【００９０】
そして、この管理制御部２２４は、ＣＰＵがＲＯＭに記憶されている各種プログラムを読み出して実行することにより、記憶部１３０内のデータベース２２３ａを管理するデータベース管理部２２４ａ、入力部２２１又は紙幣識別装置１１０から入力される紙幣の記番号に基づいてデータベース２２３ａから特定のデータを検索する検索処理部２２４ｂ、表示部２２２の表示制御を行う表示処理部２２４ｃ、顧客により持ち込まれた紙幣に関する各種データとデータベース２２３ａ内のデータとを照合する照合処理部２２４ｄ等として機能する。【００９１】
すなわち、実施例１では、この管理制御部２２４は、紙幣識別装置１１０から部分画像抽出手段によって切り出された部分画像データが入力された場合に、切り出された領域内のデータを文字認識する文字認識手段、紙葉類識別装置１１０から検索対象となる紙葉類の識別情報及び紙葉類情報を受け付けるデータ受付手段、入力部２２１から入力された検索対象となる紙葉類の識別情報の入力を受付ける入力受付手段として機能する。【００９２】
また、記憶部１３０は、紙葉類の識別情報及び紙葉類識別装置１１０から入力された紙葉類情報を対応付けて記憶する紙葉類情報記憶手段として機能し、検索処理部２２４ｂは、入力受付手段で受け付けた識別情報を用いて紙葉類情報記憶手段を検索して、紙葉類情報記憶手段内の当該識別情報の有無並びに該識別情報に対する紙葉類情報を出力する紙葉類情報検索手段として機能する。【００９３】
さらに、照合処理部２２４ｄは、データ受付手段で受け付けた紙葉類情報と紙葉類情報検索手段で検索された該識別情報に対応する紙葉類情報とを用いて類似度を算定する類似度算定手段として機能し、表示処理部２２４ｃは、紙葉類情報検索手段で検索された識別情報に対応する画像データを表示部２２２に表示させる表示制御手段、データ受付手段で受け付けた紙葉類情報と紙葉類情報検索手段で検索された識別情報に対応する画像データとデータ受付手段で受付けた紙葉類情報に対応する画像データとを表示部に表示する表示制御手段、類似度算定手段により算定された類似度を表示部に表示させる表示制御手段としても機能する。そして、実施例１では、このように構成した紙幣管理装置１２０が、本発明における紙幣識別装置から入力される紙葉類に関する情報の登録、検索などの管理を行う紙葉類管理装置に相当する。【００９４】
特に、この紙幣管理装置１２０の記憶部１３０には、撮像部２１１で撮像された出金用の紙幣に関する各種データを紙幣毎に登録したテーブル（以下、「紙幣情報テーブル」という。）を記憶させている。【００９５】
ここで、紙幣管理装置１２０の記憶部１３０に記憶させている紙幣情報テーブルについて、図３を参照して説明する。図３に示すように、紙幣情報テーブルは、各紙幣に関して、その記番号、金種、画像データ、特徴量データ等をそれぞれ対応させたテーブルである。【００９６】
図３に示すように、紙幣情報テーブルは、記憶部１３０に記憶する紙幣情報データ群の論理的構造であり、１行に１枚分の紙幣についての紙幣情報をもち、列は、紙幣情報の中の各項目を１列につき１項目になるよう構成している。【００９７】
１枚分の紙幣情報は、記番号、金種、記番号に対応する紙幣の画像データ及び特徴量データなどの項目で構成している。金種は、例えば、中国元の場合、新しく発行された１００元、５０元、２０元及び１０元と４種類の紙幣があるように、国別及び紙幣の額面別に紙幣を分類する項目である。【００９８】
特徴量データは、紙幣識別装置１１０に紙幣が投入された際、撮像部２１１が測定した種々の測定値をもって、特徴量データ算出部２１４ｂが、紙幣の金種別に持つ特性に応じて特性毎に算出した、各計測値のことである。【００９９】
例えば、撮像部２１１が、投入された紙幣に赤外光と緑光を照射した場合に、特徴量データ算出部２１４ｂでは、照射した赤外光が紙幣を透過した光と、照射した赤外光が紙幣を反射した光と、照射した緑光が紙幣を透過した光と、照射した緑光が紙幣を反射した光との４種類の受光結果を取得し、各受光結果からそれぞれ特徴量データを算出する。【０１００】
次に、実施例１に係る識別制御部２１４及び管理制御部２２４が実行する各種情報処理について、図４〜図６及び図８を参照して説明する。図４〜図６及び図８は、識別制御部２１４と管理制御部２２４とが実行する情報処理を示すフローチャートである。【０１０１】
図４に示すように、識別制御部２１４は、紙幣識別装置１１０に出金用の紙幣が投入されると、まず、投入された各紙幣の画像を撮像部２１１によって撮像し、各画像に対応する画像データまたは像データを生成する（ステップＳ２０１）。【０１０２】
次に識別制御部２１４は、ステップＳ２０１で生成した画像データまたは像データから、その画像データまたは像データに対応する紙幣の特徴量データを算出する処理を行い（ステップＳ２０２）、その後、処理をステップＳ２０３へ移す。【０１０３】
ステップＳ２０３において識別制御部２１４は、ステップＳ２０１で生成した画像データから記番号が含まれている所定の領域の画像（以下、「部分画像」という。）を抽出する。その後、識別制御部２１４は、ステップＳ２０３で抽出した部分画像の画像データと、ステップＳ２０１で生成した紙幣全体の画像データ及びステップＳ２０２で算出した特徴量データを紙幣情報として紙幣管理装置１２０へ送信する（ステップＳ２０４）。【０１０４】
識別制御部２１４は、紙幣識別装置１１０に出金用の紙幣が投入されると、投入された全ての各紙幣について、上記ステップＳ２０１〜ステップＳ２０４の処理を繰り返し実行する。【０１０５】
一方、管理制御部２２４は、紙幣識別装置１１０から紙幣情報を受信したか否かの判断を行い（ステップＳ２０５）、紙幣情報を受信していないと判断した場合（ステップＳ２０５：Ｎｏ）、紙幣情報を受信するまでステップＳ２０５の処理を繰り返し行う。そして、管理制御部２２４は、このステップＳ２０５において紙幣情報を受信したと判断した場合（ステップＳ２０５：Ｙｅｓ）、処理をステップＳ２０６へ移す。【０１０６】
ステップＳ２０６において管理制御部２２４は、紙幣識別装置１１０から受信した紙幣情報に含まれる部分画像の画像データから、記番号を文字認識して抽出する処理を行い、その後、この記番号データをはじめ、受信した紙幣情報の画像データ、特徴量データをデータベース２２３ａに登録する処理を行う（ステップＳ２０７）。【０１０７】
なお、管理制御部２２４は、ステップＳ２０６において、記番号のうち文字認識できない文字があった場合に、その文字の代わりに所定の文字、例えば「？」や「＊」などの文字（以下、リジェクト文字という）を挿入して記番号とする処理を行う。【０１０８】
また、このステップＳ２０７において管理制御部２２４は、ステップＳ２０６で抽出した記番号に対応した画像データ及び特徴量データを記憶部１３０に記憶させ、その後、処理を終了する。【０１０９】
次に、顧客により持ち込まれた紙幣が実施例１の紙葉類管理システムを導入した店舗（以下、「当店」という。）から出金されたものであるか否かを判定する根拠（以下、「判定根拠」という。）を表示部２２２に表示する際に、識別制御部２１４と管理制御部２２４とが実行する処理について、図５〜図９を参照して説明する。【０１１０】
ここでは、係員が顧客により持ち込まれた紙幣を紙幣識別装置１１０に投入した場合に、その紙幣の判定根拠を表示部２２２に表示するために識別制御部２１４と管理制御部２２４とが実行する処理について、図５〜図７を参照して説明し、係員が顧客により持ち込まれた紙幣の記番号を紙幣管理装置１２０に入力した場合に、その紙幣の判定根拠を表示部２２２に表示するために識別制御部２１４と管理制御部２２４とが実行する処理について、図８及び図９を参照して説明する。【０１１１】
顧客により持ち込まれた紙幣が紙幣識別装置１１０に入力されると、図５に示すように、識別制御部２１４は、まず、顧客により持ち込まれた紙幣の画像を撮像部２１１によって撮像し、その画像に対応する画像データまたは像データを生成する（ステップＳ３０１）。【０１１２】
次に識別制御部２１４は、ステップＳ３０１で生成した画像データまたは像データから、その画像データまたは像データに対応する紙幣の特徴量データを算出する処理を行い（ステップＳ３０２）、その後、処理をステップＳ３０３へ移す。【０１１３】
ステップＳ３０３において識別制御部２１４は、ステップＳ３０１で生成した画像データから記番号が含まれている部分画像を抽出する。その後、識別制御部２１４は、ステップＳ３０３で抽出した部分画像の画像データと、ステップＳ３０１で生成した紙幣全体の画像データ及びステップＳ３０２で算出した特徴量データを紙幣情報として紙幣管理装置１２０へ送信する（ステップＳ３０４）。【０１１４】
一方、管理制御部２２４は、紙幣識別装置１１０から紙幣情報を受信したか否かの判断を行い（ステップＳ３０５）、紙幣情報を受信していないと判断した場合（ステップＳ３０５：Ｎｏ）、紙幣情報を受信するまでステップＳ３０５の処理を繰り返し行う。そして、管理制御部２２４は、このステップＳ３０５において紙幣情報を受信したと判断した場合（ステップＳ３０５：Ｙｅｓ）、処理をステップＳ３０６へ移す。【０１１５】
ステップＳ３０６において管理制御部２２４は、紙幣識別装置１１０から受信した紙幣情報に含まれる部分画像の画像データから、記番号を文字認識して抽出する処理を行う。なお、管理制御部２２４は、ステップＳ３０６において、記番号のうち文字認識できない文字があった場合に、その文字の代わりに所定の文字、例えば「？」や「＊」などのリジェクト文字を挿入して記番号とする処理を行う。【０１１６】
その後、管理制御部２２４は、処理を図６に示すステップＳ３０７へ移して、記憶部１３０に記憶しているデータベース２２３ａ内を検索する処理を行う。この処理において管理制御部２２４は、紙幣識別装置１１０から受信した紙幣情報に含まれる記番号のデータを用いて、その記番号と一致する記番号をデータベース２２３ａ内で検索する。【０１１７】
また、管理制御部２２４は、受信した紙幣情報に含まれる記番号にリジェクト文字が含まれていた場合には、リジェクト文字以外の部分が一致している記番号をデータベース２２３ａ内で検索する。【０１１８】
その後、ステップＳ３０８において管理制御部２２４は、ステップＳ３０７で実行した検索の結果、該当した記番号が１件であったか、０件であったか、複数件であったかを判断し、１件であった場合に処理をステップＳ３１２へ移し、０件であった場合に処理をステップＳ３０９へ移し、複数件であった場合に処理をステップＳ３１０へ移す。【０１１９】
そして、ステップＳ３０９において管理制御部２２４は、顧客により持ち込まれた紙幣が当店のＡＴＭ（装置）から出金した紙幣でない旨を示す画像を表示部２２２に表示させる処理を行い、その後、処理を終了する。【０１２０】
また、ステップＳ３１０において管理制御部２２４は、ステップＳ３０７で実行した検索の結果、該当した複数の記番号を示すデータ（以下、「検索結果データ」という。）の一覧を表示部２２２に表示させる処理を行い、その後、処理をステップＳ３１１へ移す。【０１２１】
ステップＳ３１１において管理制御部２２４は、表示対象の紙幣が選択されたか否かの判断を行う。このとき管理制御部２２４は、係員が入力部２２１を操作して、ステップＳ３１１で表示させた検索結果データ一覧から一つの記番号を選択したことを検知した場合に、表示対象の紙幣が選択されたと判断する。【０１２２】
そして、管理制御部２２４は、表示対象の紙幣が選択されたと判断した場合（ステップＳ３１１：Ｙｅｓ）、処理をステップＳ３１２へ移し、表示対象の紙幣が選択されていないと判断した場合（ステップＳ３１１：Ｎｏ）、処理をステップＳ３１０へ移す。【０１２３】
ステップＳ３１２において管理制御部２２４は、ステップＳ３１１で選択された紙幣の画像データをデータベース２２３ａから取得し、その後、処理をステップＳ３１３へ移して、データベース２２３ａから取得した画像データと、紙幣識別装置１１０から受信した紙幣情報に含まれる紙幣の画像データとを用いて、これら二つの画像データに関する類似度を計算する処理を行う。ここで、管理制御部２２４は、相関関数を用いて二つの画像データの類似度を算定する。【０１２４】
その後、ステップＳ３１４において管理制御部２２４は、上記類似度を算出した二つの画像データに対応する紙幣の画像を表示部２２２に表示させる処理を行い、さらに、ステップＳ３１３で計算した類似度を表示部２２２に表示させる制御を行って（ステップＳ３１５）、処理を終了する。【０１２５】
このとき、管理制御部２２４は、図７に示すように、顧客により持ち込まれた紙幣の画像３１０を読み込み画像として、表示部２２２の表示領域上側に表示させ、データベース２２３ａから取得した紙幣の画像３１１（顧客により持ち込まれた紙幣の記番号と同一又は類似した記番号が印刷された紙幣の画像）をデータベース紙幣３１１として読み込み紙幣３１０の下側に表示させる。さらに、管理制御部２２４は、このデータベース紙幣の右側に、これら読み込み紙幣３１０とデータベース紙幣３１１との類似度３１２を表示させる。【０１２６】
次に、係員が顧客により持ち込まれた紙幣の記番号を紙幣管理装置１２０に入力した場合に、その紙幣の判定根拠を表示部２２２に表示するために識別制御部２１４と管理制御部２２４とが実行する処理について説明する。【０１２７】
顧客により持ち込まれた紙幣の記番号が係員によって紙幣管理装置１２０に入力されると、管理制御部２２４は、図８に示すように、まず、入力部２２１から入力される記番号を取得する処理を行い（ステップＳ４０１）、その後、ステップＳ４０２において、ステップＳ４０１で取得した記番号の形式判定を行う（ステップＳ４０２）。【０１２８】
そして、管理制御部２２４は、ステップＳ４０２で行った形式判定の結果、ステップＳ４０１で取得した記番号の形式が「正しい形式」であったか否かの判断を行い（ステップＳ４０３）、正しい形式であったと判断した場合（ステップＳ４０３：Ｙｅｓ）、処理をステップＳ４０４へ移し、正しい形式でなかったと判断した場合（ステップＳ４０３：Ｎｏ）処理をステップＳ４０１へ移す。ここで、管理制御部２２４は、記番号の文字の種別及び文字数が予め定められた文字の種別及び文字数であった場合に、正しい形式であったと判断する。【０１２９】
次に、ステップＳ４０４において、記憶部１３０に記憶しているデータベース２２３ａ内を検索する処理を行う。この処理において管理制御部２２４は、入力部２２１によって入力された記番号のデータを用いて、その記番号と一致する記番号をデータベース２２３ａ内で検索する。【０１３０】
その後、ステップＳ４０５において管理制御部２２４は、ステップＳ４０４で実行した検索の結果、該当した記番号が１件であったか、０件であったか、複数件であったかを判断し、１件であった場合に処理をステップＳ４０９へ移し、０件であった場合に処理をステップＳ４０６へ移し、複数件であった場合に処理をステップＳ４０７へ移す。【０１３１】
そして、ステップＳ４０６において管理制御部２２４は、顧客により持ち込まれた紙幣が当店のＡＴＭ（装置）から出金した紙幣でない旨を示す画像を表示部２２２に表示させる処理を行い、その後、処理を終了する。【０１３２】
また、ステップＳ４０７において管理制御部２２４は、ステップＳ４０４で実行した検索の結果、該当した複数の記番号を示す検索結果データの一覧を表示部２２２に表示させる処理を行い、その後、処理をステップＳ４０８へ移す。【０１３３】
このステップＳ４０７において管理制御部２２４は、検索結果データの一覧として、ステップＳ４０４で実行した検索の結果、該当した複数の記番号と、各記番号に対応する複数種類の画像（赤外光を透過させた画像、赤外光を照射したときの画像、緑光を透過させたときの画像等）から一つの画像を選択させる画像（図９に示す画像の下部分参照。）を表示部２２２に表示させる。【０１３４】
ステップＳ４０８において管理制御部２２４は、表示対象の紙幣が選択されたか否かの判断を行う。このとき管理制御部２２４は、係員が入力部２２１を操作して、ステップＳ４０７で表示させた検索結果データ一覧から一つの記番号を選択したことを検知した場合に、表示対象の紙幣が選択されたと判断する。【０１３５】
そして、管理制御部２２４は、表示対象の紙幣が選択されたと判断した場合（ステップＳ４０８：Ｙｅｓ）、処理をステップＳ４０９へ移し、表示対象の紙幣が選択されていないと判断した場合（ステップＳ４０８：Ｎｏ）、処理をステップＳ４０７へ移す。【０１３６】
ステップＳ４０９において管理制御部２２４は、ステップＳ４０８で選択された紙幣の画像データをデータベース２２３ａから取得し、その後、処理をステップＳ４１０へ移して、ステップＳ４０９で取得した画像データに対応する紙幣の画像を表示部２２２に表示させる処理を行って、処理を終了する。【０１３７】
このとき、管理制御部２２４は、図９に示すように、表示部２２２の表示領域上側に、データベース２２３ａから取得した画像データに対応する紙幣の画像４１０（顧客により持ち込まれた紙幣の記番号と同一又は類似した記番号が印刷された紙幣の画像）を表示させる。【０１３８】
なお、図９中の符号４１１は、ステップＳ４０４で実行した検索の結果、該当した複数の記番号（顧客により持ち込まれた紙幣の記番号と同一又は類似した記番号）を選択させる表示であり、符号４１２は、各記番号に対応する複数種類の画像（赤外光を透過させた画像、赤外光を照射したときの画像、緑光を透過させたときの画像等）から一つの画像を選択させる表示であり、符号４１３は、記番号を選択させる表示４１１及び画像の種類を選択させる表示４１２により選択された一つの画像を表示させるためのアイコンである。【０１３９】
上述した、実施例１に係る紙葉類管理システムでは、顧客により紙幣が持ち込まれた場合、係員は、記番号の検索の結果の有無により、顧客に対して、持ち込まれた紙幣がこの店舗から出金された紙幣であるか否かを明確に示すことができる。【０１４０】
また、上述した、実施例１に係る紙葉類管理システムでは、顧客により紙幣が持ち込まれた場合、係員は、記番号の検索結果と、目視及び類似度による同一性の判断結果とを根拠に、顧客に対して、持ち込まれた紙幣がこの店舗から出金されたか否か、且つ、偽造紙幣であるか否かを明確に示すことができる。【０１４１】
また、上記実施例１では、紙幣識別装置１１０側で、各紙幣の記番号が印刷されている領域の部分画像データを抽出するように構成したが、紙幣管理装置１２０側で、各紙幣の記番号が印刷されている領域の部分画像データを抽出するように構成してもよく、この場合、紙幣識別装置１１０での処理の負担を軽減することができる。【０１４２】
また、上記実施例１では、紙幣識別装置１１０と紙幣管理装置１２０とを別体に構成したが、これら紙幣識別装置１１０と紙幣管理装置１２０とを一体に構成して、上記実施例１での処理の全てを紙幣管理装置１２０で行うようにしても良く、この場合、別個に紙幣識別装置１１０を設ける必要もなくなる。【０１４３】
また、上記実施例１では、紙幣毎に記番号と、画像データ及び特徴量データとを対応付けて記憶部１３０に記憶し、紙幣の記番号を用いて、出金する前に予め記憶しておいた各紙幣に関する記番号と画像データと特徴量データとを検索し、検索結果を出力するようにしたが、そもそも、店舗から出金された紙幣であるか否かを判別するという本願発明の趣旨を考慮すれば、紙幣毎に記番号のみを記憶部１３０に記憶しておけば良く、その記番号の有無を出力することで、店舗に持ち込まれた紙幣が店舗から出金されたか否かを容易に認識することができる。
【実施例２】
【０１４４】
次に、本実施例に係る紙葉類管理システムの実施例２について、図１０を参照して説明する。図１０は、実施例２に係る紙幣識別装置５１０及び紙幣管理装置５２０の構成を示す機能ブロック図である。【０１４５】
図１０に示すように、実施例２に係る紙幣識別装置５１０は、図２に示した実施例１に係る紙幣識別装置１１０と同様に、撮像部５１１と紙幣処理機構５１２と識別制御部５１４と、記憶部５１３とを備えている。【０１４６】
ここで、撮像部５１１、紙幣処理機構５１２、記憶部５１３は、実施例１の紙幣識別装置１１０と同一であるため、その説明は省略する。【０１４７】
この識別制御部５１４は、実施例１の識別制御部２１４と同様に、ＣＰＵがＲＯＭに記憶している各種プログラムを実行することによって、画像撮像処理部５１４ａ、特徴量データ算出部５１４ｂ、記番号抽出部５１４ｃ、紙幣情報送信処理部５１４ｄとして機能する。【０１４８】
さらに、この識別制御部５１４は、ＣＰＵがＲＯＭに記憶している真偽判定プログラムを実行することによって、真偽判定部５１４ｅとしても機能するように構成している。【０１４９】
また、実施例２の紙幣管理装置５２０は、実施例１の紙幣管理装置１２０と同様に、管理制御部５２４と入力部５２１と、表示部５２２と、記憶部５２３とを備えている。この実施例２の紙幣管理装置５２０が備える管理制御部５２４と入力部５２１と、表示部５２２とは、実施例１の紙幣管理装置１２０と同様の構成であるため、ここでは、その説明を省略する。【０１５０】
この紙幣管理装置５２０が備える記憶部５２３は、実施例１の紙幣管理装置１２０が備える記憶部１３０と同様に、入金用の紙幣に関する記番号、画像データ、特徴量データを登録したデータベース５２３ａを記憶しており、さらに、偽札に関する複数の記番号とその記番号に対応した偽札の画像データ及び特徴量データとを登録した偽札データベース５２３ｂを記憶している。【０１５１】
この偽札データベース５２３ｂに登録する各種データは、たとえば、公安機関などに設けられた所定のサーバ５３０から通信回線を介してダウンロードするように構成している。【０１５２】
このように、紙幣識別装置５１０と紙幣管理装置５２０とを構成することによって、本実施例２の紙葉類管理システムでは、顧客が紙幣を持ち込んだ場合に、その紙幣の正当性の是非をより一層正確に判定することができる。【０１５３】
すなわち、本実施例２の紙葉類管理システムでは、顧客が当店に紙幣を持ち込んだ場合、まず、紙幣識別装置５１０により、その紙幣の真偽判定を行う。このとき、紙幣識別装置５１０では、その紙幣の画像を撮像して、該紙幣に関する画像データまたは像データを取得し、その画像データまたは像データから紙幣の記番号及び特徴量データを取得する。【０１５４】
そして、紙幣識別装置５１０は、取得した画像データに基づいて、顧客により持ち込まれた紙幣の真偽判定を行い、さらに、その判定結果を示すデータと、取得したその紙幣の記番号と画像データ及び特徴量データを紙幣管理装置５２０へ送信する。【０１５５】
紙幣管理装置５２０は、紙幣識別装置５１０から受信した真偽判定の判定結果が偽札であった場合、紙幣識別装置５１０から受信した記番号を用いて、偽札データベース５２３ｂを検索する。そして、紙幣管理装置５２０では、偽札データベース５２３ｂ内に紙幣識別装置５１０から受信した記番号と同一の記番号が存在した場合、紙幣識別装置５１０から受信した画像データ及び特徴量データと、偽札データベース５２３ｂ内の記番号が同じ紙幣に関する画像データ及び特徴量データを照合する。【０１５６】
ここで、紙幣管理装置５２０では、受信した画像データ及び特徴量データと、偽札データベース５２３ｂ内の画像データ及び特徴量データとが一致していなかった場合には、紙幣識別装置５１０から受信した記番号と、紙幣の画像データと特徴量データとを偽札データベース５２３ｂに登録する。【０１５７】
これにより、本実施例２に係る紙葉類管理システムでは、偽札データベース５２３ｂに、記番号が同一で画像データや特徴量データの異なる複数の偽札に関するデータを登録することができるため、偽札データベース５２３ｂ内のデータを充実させることができ、巧妙に偽装した偽札が当店に持ち込まれても、その紙幣の正当性の是非をより一層正確に判定することができる。【０１５８】
さらに、本実施例２に係る紙葉類管理システムでは、紙幣管理装置５２０が紙幣識別装置５１０により偽札と判定された紙幣に関する記番号を用いて、データベース５２３ａ内も検索するように構成している。そして、紙幣管理装置５２０では、この検索の結果、偽札の記番号と同一の記番号がデータベース５２３ａに登録されていた場合、その記番号とその記番号に対応して登録している画像データ及び特徴量データをデータベース５２３ａから削除、又は、ステータスを偽に切り替えるようにしている。【０１５９】
これにより、本実施例２に係る紙葉類管理システムでは、データベース５２３ａ内に誤って偽札の記番号とその記番号に対応した画像データ及び特徴量データが登録されていた場合に、それらのデータを削除することができるので、データベース５２３ａの信頼性を向上させることができ、その結果、顧客により持ち込まれた紙幣正当性の是非をより一層正確に判定することができる。
【図１】
0005501968.tif 000002
【図２】
0005501968.tif 000003
【図３】
0005501968.tif 000004
【図４】
0005501968.tif 000005
【図５】
0005501968.tif 000006
【図６】
0005501968.tif 000007
【図７】
0005501968.tif 000008
【図８】
0005501968.tif 000009
【図９】
0005501968.tif 000010
【図１０】
0005501968.tif 000011